(57)【要約】【課題】どこでも簡単に植物を栽培することができる有機栽培キットを提供する。【解決手段】本考案の有機栽培キット１０は、栽培容器１２、培養資材１４、第１液肥１６および第２液肥１８を備える。栽培容器１２は発泡材料などの保温性の材料で構成される。培養資材１４は、堆肥および副資材を混ぜ合わせたものである。副資材は、保水性の材料と排水性の材料を混合したものである。第１液肥１６は、植物２０に与える水に加えるものである。第２液肥１８は、植物２０の葉や茎に噴霧されるものである。【選択図】図１
0003191988.tif 000002
【実用新案登録請求の範囲】
【請求項１】
保温性の栽培容器と、
有機資材の堆肥、および該堆肥と混ぜ合わされ、保水性の材料と排水性の材料が混合された副資材から成り、前記栽培容器に入れられる培養資材と、
天然材料から作られ、前記培養資材に植えられた植物に与えられる水に加えられる第１液肥と、
天然材料から作られ、前記植物に噴霧される第２液肥と、
を備えた有機栽培キット。
【請求項２】
前記堆肥、第１液肥および第２液肥が、腐植を培地として培養する土壌性微生物群を用いて製造されたものである請求項１の有機栽培キット。
【請求項３】
前記副資材がパーライト、バーミキュライトおよび椰子殻を含み、
前記堆肥、パーライト、バーミキュライトおよび椰子殻の混合比が３：１：１：５である
請求項１または２の有機栽培キット。
【請求項４】
前記栽培容器が発泡材料で形成された請求項１から３のいずれかの有機栽培キット。
【考案の詳細な説明】
【技術分野】
【０００１】
本考案は、野菜や草花などの植物を栽培するための有機栽培キットに関するものである。
【背景技術】
【０００２】
従来、野菜や草花などの植物を栽培するために、種々の園芸用品が販売されている。たとえば、種、プランター、土、堆肥を購入すれば、マンションやアパートなどのベランダで植物を栽培できる。家庭だけでなく、歩道や公園などの公共の場所にプランターを置くこともある。特許文献１のように、全ての資材を有機資材のものにすれば、土の廃棄の問題も無い。土を使用しなければ、軽量になり、老人などでも容易に植物栽培ができるようになる。
【０００３】
しかし、堆肥の臭いのため、集合住宅での植物栽培を断念する場合がある。特許文献１は堆肥化された用土のみを用いており、用土に水を加えると泥状になるおそれがある。道路などにプランターを置くと、冬に用土が冷えすぎて、植物にダメージを与える場合がある。
【先行技術文献】
【特許文献】
【０００４】
【特許文献１】特開２００５−１１７９８９号公報
【考案の概要】
【考案が解決しようとする課題】
【０００５】
本考案の目的は、上記の課題を解決して、どこでも簡単に植物を栽培することができる有機栽培キットを提供することにある。
【課題を解決するための手段】
【０００６】
本考案の有機栽培キットは、保温性の栽培容器と、有機資材の堆肥および該堆肥と混ぜ合わされる副資材から成り、前記栽培容器に入れられる培養資材と、天然材料から作られ、前記培養資材に植えられた植物に与えられる水に加えられる第１液肥と、天然材料から作られ、前記植物に噴霧される第２液肥とを備える。
【０００７】
前記堆肥、第１液肥および第２液肥が、腐植を培地として培養する土壌性微生物群を用いて製造されたものである。
【０００８】
前記副資材は保水性の材料と排水性の材料を混合したものである。前記副資材がパーライト、バーミキュライトおよび椰子殻を含み、前記堆肥、パーライト、バーミキュライトおよび椰子殻の混合比が３：１：１：５である。
【０００９】
前記栽培容器は発泡材料で形成されている。前記栽培容器の内底の凸部を有し、凸部が栽培容器の内壁面に接していない。
【考案の効果】
【００１０】
本考案は、培養資材に土壌を使用していず、軽量になっている。老人や障害者が容易に運んで、植物栽培できる。培養資材が軽いため、培養資材を配送しやすく、インターネットなどでの販売もし易い。堆肥等が腐植を利用して製造されているため、アンモニア臭などの悪臭を抑制している。
【図面の簡単な説明】
【００１１】
【図１】本考案の有機栽培キットを示す図である。
【図２】栽培容器を示す図であり、（ａ）は上面図、（ｂ）は（ａ）のＡ−Ａ線断面図である。
【図３】栽培容器を示す側面図である。
【図４】栽培容器を重ねた断面図である。
【考案を実施するための形態】
【００１２】
本考案の有機栽培キットについて図面を使用して説明する。
【００１３】
図１に示す本考案の有機栽培キット１０は、栽培容器１２、培養資材１４、第１液肥１６および第２液肥１８を備える。有機栽培キット１０で栽培される植物２０は、野菜や草花などである。
【００１４】
栽培容器１２は発泡材料などの保温性の材料で構成される。栽培容器１２が保温性を有することにより、気温の変化による植物２０へのダメージを抑えることができる。具体的には、寒冷な季節に培養資材１４の温度が下がりすぎ、植物２０の根が損傷するのを防止する。反対に気温が高くなりすぎても、培養資材１４を保温することで、水分蒸発を抑え、培養資材１４の温度低下を防止する。また、アスファルトやコンクリートなどの上に栽培容器１２を置いた場合、気温の変化が大きいが、培養資材１４の温度変化を小さくできる。
【００１５】
栽培容器１２が発泡材料であるため、栽培容器１２が軽くなる。配送などが容易になり、インターネットを利用した通信販売もし易い。老人や障害者が持ち運ぶのも容易である。アスファルトやコンクリートの平面に栽培容器１２を置いた場合、車いすを利用する人でも水やりなどが可能になる。
【００１６】
栽培容器１２の厚みは、たとえば約２．５〜５ｃｍ、好ましくは３ｃｍである。厚みが５ｃｍ以上になると、断熱性能は高いが栽培容器１２が大きくなる。厚みが２．５ｃｍ以下になると、断熱性能が悪く、植物２０を損傷させるおそれが高くなる。
【００１７】
培養資材１４が入り、植物２０の栽培が可能であれば、栽培容器１２の形状は任意である。図１の栽培容器１２はプランターに類似する形状である。栽培される植物２０に合わせて栽培容器１２の大きさを変更しても良い。
【００１８】
図２のように、栽培容器１２の内底２２に凸部２４を設ける。凸部２４は帯状になっており、この帯状になった凸部２４が連続して並べられている。凸部２４の断面は三角形状になっているが、三角形状に限定されない。
【００１９】
図３のように栽培容器１２に排水口２６を設ける。排水口２６の位置は栽培容器１２の側部２８や底部３０などである。栽培する植物２０に求められる水はけに応じて、排水口２６の位置を異ならせる。水はけの良い環境を好む植物の場合は、栽培容器１２の底部３０や底部３０付近に排水口２６を設ける。湿潤な環境を好む植物であれば、側部２８における底部３０から離れた位置に排水口２６を設けても良い。排水口２６の数も、求められる水はけに応じて適宜変更しても良い。
【００２０】
栽培容器１２の内側面３４と凸部２４とは接していない。栽培容器１２の内底２２において、内側面３４に接する部分は凸部２４の無い箇所３２になっている。凸部２４によって凸部２４の無い箇所３２に水が流れ、さらに排水口２６に水が流れる。栽培容器１２の中央底部にある培養資材１４に水が溜まりにくい。水はけの良い環境が求められる植物２０に好適な環境を作りやすくなる。
【００２１】
栽培容器１２に培養資材１４を入れて輸送する場合、栽培容器１２の内側面３４に紙やフィルムなどのシートを配置し、排水口２６を塞ぐ。排水口２６から培養資材１４がこぼれないようにする。栽培容器１２を所望の設置場所に設置したあと、シートを取り外す。また、排水口２６に栓をしておき、所定の位置に栽培容器１２を配置した後、栓を取り外しても良い。
【００２２】
側部２８における上部に散水用の配管を置くための凹部３６を設けても良い。栽培容器１２を並べて配置したとき、隣り合う栽培容器１２の凹部３６が並ぶ様にし、全ての栽培容器１２の凹部３６に配管を置く。配管を固定するための別部材が不要になる。側部２８における上部であれば、凹部３６の位置は中央に限定されず、任意の位置に凹部３６を配置しても良い。
【００２３】
培養資材１４は、有機資材の堆肥および副資材を混ぜ合わせたものである。培養資材１４に植物２０を植え付ける。培養資材１４が、従来の赤玉土などの代わりになっている。培養資材１４の中に赤玉土などの土壌はなく、培養資材１４は軽量である。
【００２４】
堆肥は、腐植を培地として培養する土壌性微生物群を用いて製造したものである。堆肥を作るための種堆肥は、すでに発酵が十分進んだ有機物である。腐植、ゼオライトまたは珪藻土、液肥、堆肥原料を混合し、発酵させて種堆肥を製造する。
【００２５】
腐植は、動植物遺骸を含み、フルボ酸を含み、発酵処理によって酸化還元電位を＋５００ｍＶに調整したものである。また腐植は、この腐植を培地として腐敗菌や酸生成菌などが増殖するのを抑制しうる菌類を含む。臭気を生産する腐敗菌群の増殖を抑制することができる。ゼオライトまたは珪藻土によって、アンモニアガスを吸着し、アンモニア臭を緩和する。
【００２６】
液肥は、上記腐植、家畜の糞尿および水を混合して製造した液体である。腐植に含まれるフルボ酸によって臭気成分の増加が抑制される。液肥の製造は、腐植、家畜の糞尿および水を混合し、曝気させ、沈殿槽で沈殿させた後、上水を液肥として取り出す。混合の際に、腐植および家畜の糞尿に対して水が約１０倍になるようにする。液肥の材料を混合してから完成するまで約１ヶ月以上である。
【００２７】
液肥の量を調節することにより、堆肥や種堆肥の水分量を調節する。なお、堆肥や種堆肥の製造時は、おがくずなどを加えて水分調整することも可能である。
【００２８】
堆肥原料は、家畜の糞尿や生ゴミなどである。腐植、ゼオライトまたは珪藻土、堆肥原料を重ね合わせ、発酵させることによって、種堆肥を製造する。水分調整は液肥でおこなう。
【００２９】
種堆肥と堆肥原料を重ね合わせ、発酵させることで堆肥を製造する。その際の堆肥原料は、種堆肥の堆肥原料と同じである。堆肥の製造方法は以下のようにする。
【００３０】
（１）種堆肥と堆肥原料は、複数回重ね合わせ、複数層になるようにする。種堆肥は堆肥原料の約３０ｗｔ％になるようにする。また、水分調整に上記の液肥を加える。水分は約６５ｗｔ％になるようにする。
【００３１】
（２）上記の堆積物を通気発酵によって一次発酵させる。通気発酵の期間は約２週間であり、約５日に１回の割合で切り返しする。その際、水分量が約６０ｗｔ％になるように、液肥で調節する。
【００３２】
（３）一次発酵させたものを通気発酵および堆積発酵によって二次発酵させる。通気発酵の期間は約２週間であり、１週間に１回の割合で切り返しする。通気発酵後、１ヶ月以上堆積発酵する。
【００３３】
堆積発酵によって高熟成堆肥ができれば、それが培養資材１４に使用する堆肥となる。種堆肥として使用した分量と同量の高熟成堆肥を種堆肥として残すことが好ましい。種堆肥を長期保存する場合、３ヶ月に１回の割合で液肥を散布する。
【００３４】
副資材は、保水性の材料と排水性の材料を混合したものである。培養資材１４として堆肥のみの構成にすると、水を加えたときに堆肥が泥状になる。そのため、副資材によって、培養資材１４が植物を栽培するための水はけを有し、かつ植物２０を保持できるようにする。
【００３５】
具体的な副資材は、パーライト、バーミキュライトおよび椰子殻を混合したものである。パーライトおよび椰子殻は保水性を有し、バーミキュライトは排水性を有する。堆肥、パーライト、バーミキュライトおよび椰子殻の混合比を３：１：１：５にすることで、培養資材１４が植物２０を栽培するための水はけを有し、植物２０を保持できる。また、パーライトと椰子殻は保水性を有するため、第１液肥１６が培養資材１４の中で保持される。植物２０が第１液肥１６を吸収しやすくなり、植物２０を生育しやすくなる。なお、副資材は上述したものに限定されず、同様の作用効果を有するもので代用することも可能である。
【００３６】
第１液肥１６は、植物２０に与える水に加えるものである。堆肥を製造するときに使用する液肥を第１液肥１６として利用しても良い。水に対して第１液肥１６の割合が非常に小さい場合、第１液肥１６を水で希釈したものを販売等しても良い。たとえば、水１Ｌまたは５００ｍＬに対して、希釈された第１液肥１６が５ｍＬになるようにする。
【００３７】
第２液肥１８は、植物２０の葉や茎に噴霧されるものである。第２液肥１８によって防虫する。第２液肥１８も第１液肥１６と同様に、堆肥を製造するときに使用する液肥を利用しても良い。腐植に含まれるフルボ酸などは、害虫を除去し、乳酸菌などの善玉菌の育成を助ける働きがある。そのため、第２液肥１８を噴霧することで、植物２０の害虫予防と善玉菌の育成を助けることが可能である。なお、第１液肥１６と同様に、第２液肥１８を水で希釈したものを容器４０に入れて販売しても良い。第２液肥１８は、噴霧器と共に販売等しても良い。
【００３８】
栽培容器１２に培養資材１４を入れ、培養資材１４に植物２０の種または苗を植える。植物２０に水を与えるときに、水に第１液肥１６を加えたり、植物２０の葉や茎に第２液肥１８を噴霧したりしながら植物２０を栽培する。植物２０を栽培するたびに、培養資材１４を補充する。
【００３９】
以上のように、本考案は培養資材１４に土壌を使用していず、軽量になっている。老人や障害者が培養資材１４等を容易に運んで、植物栽培できる。栽培容器１２を平坦な所に置けば、老人や障害者が植物２０の世話をすることもできる。培養資材１４が軽いため、培養資材１４を配送しやすく、インターネットなどでの販売もし易い。堆肥や液肥は、腐植を使用して製造しており、アンモニア臭などが無く、臭気を問題にせずに配送が可能である。アパートなどの集合住宅であっても、近隣住人に対して、においを気にせずに栽培できる。
【００４０】
保温性の栽培容器１２を使用するため、冬に植物２０へのダメージを防ぐことができる。歩道やベランダなどの寒風が当たりやすい場所で植物栽培ができる。
【００４１】
堆肥および各液肥に化学物質は使用していず、栽培される植物２０に化学物質の問題は起きない。そのため、アイスプラントのような土中の化学物質や有害金属を吸収しやすい植物２０でも、本考案の有機栽培キット１０で栽培すれば、化学物質などを気にせずに食べることができる。
【００４２】
なお、有機栽培キット１０をインターネットなどで通信販売する場合、植物１０の種も一緒に販売し、配送するようにしても良い。
【００４３】
本考案は、上記の実施形態に限定されない。たとえば図４のように、栽培容器１２を重ね合わせ、上段の栽培容器１２の底部３０をくり貫いても良い。この場合、培養資材１４の流出を防ぐために、少なくとも下段の栽培容器１２は凹部３６が無いことが好ましい。栽培容器１２の深さが深くなり、大根などの根菜類の栽培が可能になる。
【００４４】
その他、本考案は、その主旨を逸脱しない範囲で当業者の知識に基づき種々の改良、修正、変更を加えた態様で実施できるものである。
【符号の説明】
【００４５】
１０：有機栽培キット
１２：栽培容器
１４：培養資材
１６：第１液肥
１８：第２液肥
２０：植物
２２：内底
２４：凸部
２６：排水口
２８：側部
３０：底部
３２：内底における凸部の無い部分
３４：内側面
３６：凹部
３８,４０：容器
【図１】
0003191988.tif 000003
【図２】
0003191988.tif 000004
【図３】
0003191988.tif 000005
【図４】
0003191988.tif 000006